(57)【要約】【課題】１個の耳かけ式ヘッドホンを右耳用および左耳用として使用でき、しかも、右耳用使用状態と左耳用使用状態との切り替えが簡単に行えて、部品をなくす恐れのない耳かけ式ヘッドホンを提供する。【解決手段】耳殻に掛けられるイヤーハンガー２と前記イヤーハンガー２に保持されスピーカを内蔵する本体１とを含む耳かけ式ヘッドホンにおいて、前記イヤーハンガー２が耳殻に掛けられた状態において頭部側面と平行かつ水平方向に延びる回動中心軸３を介して前記本体１が前記イヤーハンガー２に対して１８０°以上の回動範囲で回動自在に支持されている。【選択図】図１
2009239580.tif 000002
【特許請求の範囲】
【請求項１】
耳殻に掛けられるイヤーハンガーと前記イヤーハンガーに保持されスピーカを内蔵する本体とを含む耳かけ式ヘッドホンにおいて、前記イヤーハンガーが耳殻に掛けられた状態において頭部側面と平行かつ略水平方向に延びる回動中心軸を介して前記本体が前記イヤーハンガーに対して１８０°以上の回動範囲で回動自在に支持されていることを特徴とする耳かけ式ヘッドホン。
【請求項２】
前記回動中心軸は円筒形が２つ割りされた形状の部分を含む弾性変形可能なフックで形成されており、前記フックが前記イヤーハンガーおよび本体の夫々の円筒形穴を同軸に挿通した請求項１の耳かけ式ヘッドホン。
【発明の詳細な説明】
【技術分野】
【０００１】
この発明はヘッドホンに係わり、特に、イヤーハンガーにより耳殻に掛けられる耳かけ式ヘッドホンに関する。
【背景技術】
【０００２】
特開２００２−３４０８９号公報に開示された従来の耳かけ式ヘッドホンは、耳殻に掛けられるハンガー部２から下方に連接された軸部３にハウジング５が回動可能に支持されている。ハウジング５はヘッドホンユニットが収納されており、軸部３は耳珠（外耳孔）よりも手前側（顔面側）に位置している。
【０００３】
上記した特開２００２−３４０８９号公報に開示された従来の耳かけ式ヘッドホンは、右耳用と左耳用との２種類が必要である。一般に、耳かけ式ヘッドホンは一個のみが使用されるので、使用者は右耳用または左耳用の耳かけ式ヘッドホンを選択して購入するが、そのためには、在庫品を多く準備する必要があり、在庫のコストが高くなるという問題があった。
【０００４】
図６〜図８に示す従来の耳かけ式ヘッドホンは、スピーカ１１およびマイクロホン１２を内蔵した本体１０の穴にイヤーハンガー１３を差込んだ状態で使用される。図６に示す状態で本体１０はスピーカ１１から紙面裏側方向に音を放射させるようにスピーカ１１を保持している。すなわち、本体１０のスピーカ１１用音孔は紙面裏側に配置されている。そして、図６に示す状態で、この耳かけ式ヘッドホンは左耳用として使用される。
【０００５】
図６に示す状態からイヤーハンガー１３を図７の黒矢印で示す方向に引き抜き、さらに、イヤーハンガー１３を反転させて、図７の白矢印で示す方向に差込むと、この耳かけ式ヘッドホンを右耳用として使用できるようになる。図８は図７に示す本体１０を反時計方向に９０°回転させた右耳用として使用できる耳かけ式ヘッドホン示している。
【０００６】
図７ではコード６が左上方向に本体１０から突出しているのに対して図８ではコード６が左下方向に本体１０から突出している。いずれの使用状態でもマイクロホン１２は顔面の前側に位置している。
【０００７】
上記した図６〜図８に示す従来の耳かけ式ヘッドホンは１個の耳かけ式ヘッドホンを右耳用および左耳用として使用できる。しかしながら、右耳用と左耳用とに使用状態を切り替えるためには、イヤーハンガー１３を本体１０の穴から引き抜いて、差し替えなければならない。
【０００８】
イヤーハンガー１３の本体１０に差込む部分は、本体１０を固定状態に保持するために、僅かにテーパ形状として強嵌合させる必要があり、イヤーハンガー１３の差し替えを繰り返すと、摩耗や変形により嵌合が緩んだり、嵌合位置が変わるようになる。強嵌合させる代わりにねじで締着する構造とすると、部品点数が多くなり、部品をなくす恐れがある。また、付け替えに手間がかかるという問題が発生する。
【特許文献１】特開２００２−３４０８９号公報、段落００１３〜段落００１６、図１、図２
【発明の開示】
【発明が解決しようとする課題】
【０００９】
この発明は上記した点に鑑みてなされたものであって、その目的とするところは、１個の耳かけ式ヘッドホンを右耳用および左耳用として使用でき、しかも、右耳用使用状態と左耳用使用状態との切り替えが簡単に行えて、切り替え時に部品を探したりする必要のない耳かけ式ヘッドホンを提供することにある。
【課題を解決するための手段】
【００１０】
この発明の耳かけ式ヘッドホンは、耳殻に掛けられるイヤーハンガーと前記イヤーハンガーに保持されスピーカを内蔵する本体とを含む耳かけ式ヘッドホンにおいて、前記イヤーハンガーが耳殻に掛けられた状態において頭部側面と平行かつ略水平方向に延びる回動中心軸を介して前記本体が前記イヤーハンガーに対して１８０°以上の回動範囲で回動自在に支持されているものである。
【００１１】
また、前記耳かけ式ヘッドホンにおいて、前記回動中心軸は円筒形が２つ割りされた形状の部分を含む弾性変形可能なフックで形成されており、前記フックが前記イヤーハンガーおよび本体の夫々の円筒形穴を同軸に挿通したものである。
【発明の効果】
【００１２】
この発明の耳かけ式ヘッドホンによれば、１個の耳かけ式ヘッドホンを右耳用および左耳用として使用でき、しかも、右耳用使用状態と左耳用使用状態との切り替えが簡単に行えて、切り替え時に部品を探したりする必要がない。
【発明を実施するための最良の形態】
【００１３】
以下この発明を実施するための最良の形態を実施例に即して説明する。
【実施例１】
【００１４】
図１（ａ）はこの発明の実施例１である耳かけ式ヘッドホンを示す正面図、図１（ｂ）は図１（ａ）におけるＡ部拡大図、図２（ａ）は同耳かけ式ヘッドホンを示す部分側面図、図２（ｂ）は同耳かけ式ヘッドホンの他の状態を示す部分正面図である。
【００１５】
図１（ａ）に示すように、耳殻に掛けられるイヤーハンガー２は回動中心軸３を介してスピーカを内蔵する本体１を回転可能に支持している。回動中心軸３はイヤーハンガー２が耳殻に掛けられた状態で頭部側面と平行かつ水平方向に延びている。
【００１６】
そして、回動中心軸３の頭部３ａから延びる軸３ｂは図１（ｂ）に詳しく示すように、イヤーハンガー２の穴、本体１の円筒面穴１ａおよびばね座金５を挿通した状態で止め輪４に係止されている。ばね座金５の弾力によりイヤーハンガー２と本体１は圧接されており、本体１のイヤーハンガー２に対する回動位置が安定する。なお、本体１はイヤーハンガー２に対して３６０°回転可能である。本体１からはコード６が突出している。
【００１７】
図２（ａ）にこの耳かけ式ヘッドホンの本体１を回動中心軸３回りに１８０°回動させる状態を示している。本体１は実線で回動前の状態を示しており、この状態から矢印で示す時計方向に１８０°回動させると点線で示す位置となる。
【００１８】
このとき、本体１は図１に示す状態から裏返されて、図２（ａ）に示すように、音孔１ｂが紙面表側となっている。この耳かけ式ヘッドホンは図１に示す状態で左耳用として使用され、図２（ｂ）に示す状態で右耳用として使用される。
【００１９】
このように、実施例１の耳かけ式ヘッドホンは１個の耳かけ式ヘッドホンを右耳用および左耳用として使用でき、しかも、右耳用使用状態と左耳用使用状態との切り替えが簡単に行えて、部品をなくす恐れがない。
【実施例２】
【００２０】
図３はこの発明の実施例２である耳かけ式ヘッドホンが組み立てられる前の夫々の姿勢を示す正面図、図４は同耳かけ式ヘッドホンを示す正面図、図５は同耳かけ式ヘッドホンが組み立てられる前の状態を示す部分断面図である。
【００２１】
この例では、図３に示すコード６が突出しスピーカを内蔵する本体１と、イヤーハンガー２とが合成樹脂製のフック７により回転自在に連結される。すなわち、図５に示すように、イヤーハンガー２の穴と本体１の円筒面穴１ａとが同軸に位置合わせされて、これららの穴にフック７を挿通する。
【００２２】
フック７の頭部７ａから延びる軸７ｂは円筒形状の部分が２つ割りされており、先端に係止部が設けられている。フック７はその弾力により本体１の円筒面穴１ａとイヤーハンガー２の穴に圧接してイヤーハンガー２と本体１との回動位置を安定させる。
【００２３】
この例によっても実施例１と同様の効果が得られ、さらに、組み立てが簡単であるという実施例２特有の効果が得られる。また、使用者が大きさ・彩色・デザイン等が異なる複数のイヤーハンガー２を購入しておき、適宜好みのものを選択して使用することも可能である。
【００２４】
実施例は以上のように構成されているが発明はこれに限られず、例えば、回動中心軸をイヤーハンガーまたは本体と一体に形成してもよい。
【図面の簡単な説明】
【００２５】
【図１】図１（ａ）はこの発明の実施例１である耳かけ式ヘッドホンを示す正面図、図１（ｂ）は図１（ａ）におけるＡ部拡大図である。
【図２】図２（ａ）は同耳かけ式ヘッドホンを示す部分側面図、図２（ｂ）は同耳かけ式ヘッドホンの他の状態を示す部分正面図である。
【図３】この発明の実施例２である耳かけ式ヘッドホンが組み立てられる前の状態を示す正面図である。
【図４】同耳かけ式ヘッドホンを示す正面図である。
【図５】同耳かけ式ヘッドホンが組み立てられる前の状態を示す部分断面図である。
【図６】従来の耳かけ式ヘッドホンを示す正面図である。
【図７】同耳かけ式ヘッドホンの他の状態を示す正面図である。
【図８】同耳かけ式ヘッドホンのさらに他の状態を示す正面図である。
【符号の説明】
【００２６】
１  本体、１ａ  円筒面穴、１ｂ  音孔
２  イヤーハンガー
３  回動中心軸、３ａ  頭部、３ｂ  軸
４  止め輪
５  ばね座金
６  コード
７  フック、７ａ  頭部、７ｂ  軸
１０  本体、
１１  スピーカ
１２  マイクロホン
１３  イヤーハンガー
【図１】
2009239580.tif 000003
【図２】
2009239580.tif 000004
【図３】
2009239580.tif 000005
【図４】
2009239580.tif 000006
【図５】
2009239580.tif 000007
【図６】
2009239580.tif 000008
【図７】
2009239580.tif 000009
【図８】
2009239580.tif 000010